(57)【要約】【課題】アタッチメントを取り外すことなく吸込口体を着脱可能とし、吸込口体装着の際にはアタッチメントが収納姿勢に復帰していて接続がスムースに行える電気掃除機を提供することを目的としている。【解決手段】延長管１０の先にアタッチメント２０を装着して吸引風路を形成して清掃可能とし、アタッチメント２０に吸込口体４０を装着して更なる吸引風路を形成して清掃可能とするとともに、アタッチメント２０は、延長管１０及び吸込口体４０に着脱可能な接続管部２１と、吸込口体４０取り外し状態で接続管部２１に所定範囲で傾動可能であるとともに被清掃面に当接する清掃部材２２とを有し、吸込口体４０の管部４１が接続管部２１に接合されて吸込口体４０がアタッチメント２０に接続されるとき、清掃部材２２を収納姿勢にする復帰手段を設けた。【選択図】  図３
2005296116.tif 000002
【特許請求の範囲】
【請求項１】
延長管の先にアタッチメントを装着して吸引風路を形成して清掃可能とし、前記アタッチメントに吸込口体を装着して更なる吸引風路を形成して清掃可能とするとともに、
前記アタッチメントは、前記延長管及び前記吸込口体に着脱可能な接続管部と、
前記吸込口体取り外し状態で前記接続管部に所定範囲で傾動可能であるとともに被清掃面に当接する清掃部材と
を有し、
前記吸込口体の管部が前記接続管部に接合されて前記吸込口体が前記アタッチメントに接続されるとき、前記清掃部材を収納姿勢にする復帰手段
を設けたことを特徴とする電気掃除機。
【請求項２】
請求項１において、
前記復帰手段は、前記接続管部に形成されたカム溝と、前記清掃部材から前記カム溝を貫通して吸引風路内に突設され、前記管部の差し込みに応じて前記カム溝内を案内され、前記アタッチメントの前記清掃部材を収納姿勢に復帰させる突起と
を有していることを特徴とする電気掃除機。
【請求項３】
請求項１又は２において、
前記清掃部材は、被清掃面に当接する部分がブラシ状又は起毛布状をなしていることを特徴とする電気掃除機。
【発明の詳細な説明】
【技術分野】
【０００１】
この発明は、延長管の先端に床ブラシを装着して吸引清掃をする電気掃除機に関するものである。
【背景技術】
【０００２】
従来、この種の技術は、特許文献１に示すようなものがある。これによれば、電気掃除機の延長管には、吸込口体が着脱自在に装着されており、一般的な床や畳の広い面の清掃に使用されている。狭いところや傷を付けてはいけないところなど、清掃面の状況に応じて吸込口体を取り外し、用意されている先細管、補助ブラシ管等のアタッチメントを使用していた。
【特許文献１】特開２００１−３１４３５８号公報
【発明の開示】
【発明が解決しようとする課題】
【０００３】
しかしながら、このような技術では、アタッチメントの交換や吸込口体の交換の度に一端、使用中のものを取り外し、他のものを装着して使用しなければならなかった。
【０００４】
この発明は、上記問題に鑑みてなされたものであり、アタッチメントを取り外すことなく吸込口体を着脱可能とし、吸込口体装着の際にはアタッチメントが収納姿勢に復帰していて接続がスムースに行える電気掃除機を提供することを目的としている。
【課題を解決するための手段】
【０００５】
この目的を達成するため、請求項１の発明は、延長管の先にアタッチメントを装着して吸引風路を形成して清掃可能とし、前記アタッチメントに吸込口体を装着して更なる吸引風路を形成して清掃可能とするとともに、前記アタッチメントは、前記延長管及び前記吸込口体に着脱可能な接続管部と、前記吸込口体取り外し状態で前記接続管部に所定範囲で傾動可能であるとともに被清掃面に当接する清掃部材とを有し、前記吸込口体の管部が前記接続管部に接合されて前記吸込口体が前記アタッチメントに接続されるとき、前記清掃部材を収納姿勢にする復帰手段を設けたことを特徴とする電気掃除機としている。
【０００６】
また、請求項２の発明は、請求項１において、前記復帰手段は、前記接続管部に形成されたカム溝と、前記清掃部材から前記カム溝を貫通して吸引風路内に突設され、前記管部の差し込みに応じて前記カム溝内を案内され、前記アタッチメントの前記清掃部材を収納姿勢に復帰させる突起とを有していることを特徴とする電気掃除機としている。
【０００７】
さらに、請求項３の発明は、請求項１又は２において、前記清掃部材は、被清掃面に当接する部分がブラシ状又は起毛布状をなしていることを特徴とする電気掃除機としている。
【発明の効果】
【０００８】
請求項１の発明によれば、アタッチメント装着状態で清掃部材を収納姿勢から被清掃面に傾動して使用姿勢にして当接する清掃が可能で、また、このアタッチメントを取り外すことなく吸込口体を着脱可能とし、吸込口体装着の際にはアタッチメントが収納姿勢に復帰していて接続がスムースに行える電気掃除機を提供することができる。
【０００９】
請求項２の発明によれば、請求項１の効果に加え、吸込口体の装着時にはアタッチメントの清掃部材が収納姿勢に戻っているため、他に干渉することなく装着ができる。
【００１０】
請求項３の発明によれば、上記請求項１又は２の効果に加え、被清掃面の状態に応じて適切な清掃手段を選択することができる。
【発明を実施するための最良の形態】
【００１１】
以下、図面に基づいてこの発明を説明する。
【００１２】
図１は、電気掃除機の全体を示しており、図中１は電気掃除機であり、掃除機本体２と、一端が掃除機本体２に着脱自在に接続された集塵ホース３と、この集塵ホース３の他端に手元操作管４を介して着脱自在に接続された延長管１０と、延長管１０の先には着脱自在に装着されたアタッチメント２０と、さらにアタッチメント２０の先には着脱自在に装着された吸込口体４０とを有している。掃除機本体２の内部には吸引力を発生させるモータや集塵室等が設けられている。
【００１３】
延長管１０は、掃除機本体２の集塵ホース３に接続されるとともに伸縮自在にされた直管で、一般に合成樹脂により製作されている。
【００１４】
アタッチメント２０は、延長管１０の先に接続管部２１を介して装着されて吸引風路を形成し、吸込口体４０では清掃しにくい場所を清掃をするため使用される。例えば、狭い場所やゴミや埃をはじき出しながら清掃するところ、また、傷を付けてはいけないところで使用される。
【００１５】
このアタッチメント２０は、図３及び図４に示されるように、延長管１０及び吸込口体４０に着脱可能な接続管部２１と、吸込口体４０の取り外し状態で接続管部２１に収納姿勢及び使用姿勢の間で傾動可能で被清掃面に当接する清掃部材２２とを有している。この実施例では、アタッチメント２０は、接続管部２１が延長管１０に組立固定されている。
【００１６】
このアタッチメント２０をさらに詳しく説明すると、外観は図５で示すような形状であり、その構造は図３の断面図で示されている。
【００１７】
接続管部２１は、管状体をなしており、一端が延長管１０の中に入り込んで接合され、他端が吸込口体４０の管部４１を内側に差し込ませて接合させている。この他端は、開口部の形状が長方形状をしており、断面積が開口側に向かって次第に広くなるように形成されている。長方形状をなす他端開口部における対向する面には、孔２１ａ及びカム溝２１ｂがそれぞれ同軸状にあるように設けられている。また、この他端の上側には、後述する係止爪４４が係合する開口２１ｃを伴った係止壁２１ｄが立設され、この他端の周囲は、半割されたカバー２３が適宜ねじ止めされている。
【００１８】
一方、清掃部材２２は、ほぼ長方形の枠体２２ａに、ブラシ毛２２ｂが吸込口体４０側に向けられて植設されている。枠体２２ａは接続管部２１の端部を吸引風路を塞ぐことなく覆っている。この枠体２２ａの内側には、孔２１ａに嵌入して回動軸を構成する突起２２ｃが２個対向して設けられ、カム溝２１ｂに突出して清掃部材２２の回動を案内するピン２２ｄが対向して設けられている。
【００１９】
このカム溝２１ｂの長さは、清掃部材２２が収納姿勢（図１Ａ，図３参照）から使用姿勢（図２、図５参照）の間の姿勢が取れるように決められており、この所定範囲における回動が可能なようにカバー２３は延長管１０の軸方向に対して直角な面と傾斜した面とが形成されている。場合によっては、これら面がストッパーともなりうる。
【００２０】
吸込口体４０は、平面視矩形幅広の床ブラシ４２と床ブラシ４２に対して回転回動自在に接続されている回転管４３とを有しており、回転管４３はアッタチメント２０の接続管部２１と接続されて吸引風路を形成する管部４１を有している。この回転管４３の管部４１には、カバー４５の一部が取り外された図４に示すように図示省略のバネによって先端が管部４１の外側面に接する方向に付勢されて係止爪４４が装着されている。
【００２１】
床ブラシ４２の管部４１が接続管部２１に接合されて吸込口体４０がアタッチメント２０に接続されるとき、清掃部材２２を収納姿勢に戻し、支障なく接続する復帰手段は、管部４１の後端とカム溝２１ｂとこのカム溝２１ｂに案内されるピン２２ｄとによって構成されている。
【００２２】
すなわち、清掃部材２２からカム溝２１ｂを貫通して突設されたピン２２ｄが、管部４１の差し込みに応じて管部４１の後端で押し込まれ、ピン２２ｄがカム溝２１ｂに案内され、アタッチメント２０の清掃部材２２を図１Ａ，図３に示す収納姿勢に復帰させている。清掃部材２２を収納姿勢に復帰させることによって、枠体２２ａの開口は接続管２１の開口を十分に開け、さらにこの例のブラシ毛２２ｂを管部４１の差し込み方向と平行にし回転管４３のカバー４５で挟み込むようなことがなくスムースな装着が可能となる。
【００２３】
図３の状態まで管部４１がピン２２ｄを押し込んだ後は、更なる押し込み力によってピン２２ｄが引っ込められるとともに管部４１が接続管２１の奥まで入り込む。このとき、係止爪４４は、アタッチメント２０の開口２１ｃを通過し、係止壁２１ｄに係止し、アタッチメント２０と吸込口体４０とはしっかり連結される。
【００２４】
一方、被清掃面の状態によっては、吸込口体４０を図１Ａの状態から除去して図２の状態で使用される。これには、図１の状態で、係止爪４４の突起４４ａを手で、あるいは延長管１０を前方へ倒すことによって床ブラシ４２に押しつけて押圧部材を押圧することにより係止爪４４を係止壁２１ｄから係止を解除して行う。
【００２５】
清掃部材２２は、ブラシ状のブラシ毛２２ｂの代わりに同程度の高さの樹脂壁であっても良いのは勿論、起毛布状のものであっても良い。樹脂壁の場合には、吸込口体４０では幅がありすぎるような狭いところに適用でき、起毛布状の場合には傷を付けたくない被清掃面に適用でき、さらにブラシ毛２２ｂの場合には桟や溝など塵や埃を跳ね出さしたいところ等に適用できる。
【図面の簡単な説明】
【００２６】
【図１】この発明の電気掃除機の全体斜視図である。
【図１Ａ】この発明の電気掃除機の要部を示す斜視図である。
【図２】この発明の電気掃除機から吸込口体を除去した清掃部材の使用姿勢を示す斜視図である。
【図３】この発明の電気掃除機のアタッチメントを介して延長管と吸込口体とを接続する状態を示す断面図である。
【図４】この発明の電気掃除機の吸込口体の回転管の一部カバーを除去した状態の斜視図である。
【図５】この発明の電気掃除機のアタッチメントの清掃部材の一部を除去した斜視図である。
【符号の説明】
【００２７】
１      電気掃除機
２      掃除機本体
３      集塵ホース
１０      延長管
２０      アタッチメント
２１      接続管部
２１ａ    孔
２１ｂ    カム溝
２２      清掃部材
２２ａ    枠体
２２ｂ    ブラシ毛
２２ｃ    突起
２２ｄ    ピン
４０      吸込口体
４１      管部
【図１】
2005296116.tif 000003
【図１Ａ】
2005296116.tif 000004
【図２】
2005296116.tif 000005
【図３】
2005296116.tif 000006
【図４】
2005296116.tif 000007
【図５】
2005296116.tif 000008